(57)【特許請求の範囲】
【請求項１】
ベースバンドのベースバンド信号を、前記ベースバンドよりも高い所定の周波数帯域の信号に周波数変換した変調信号を受信し、前記ベースバンド信号に周波数変換する受信部と、
前記受信部で前記変調信号を周波数変換することにより得られる前記ベースバンド信号を用いて、前記変調信号のパワーを検出するパワー検出部と、
前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部と
を備える制御装置。
【請求項２】
前記パワー検出部は、前記ベースバンド信号のDC(Direct Current)オフセットを、前記変調信号のパワーとして検出する
請求項１に記載の制御装置。
【請求項３】
前記受信部は、前記ベースバンド信号である差動信号を出力し、
前記パワー検出部は、前記差動信号のDC(Direct Current)オフセットの差を、前記変調信号のパワーとして検出する
請求項１に記載の制御装置。
【請求項４】
前記電子機器は、電源がオンすることで、前記初期化処理を開始する電子機器であり、
前記制御部は、前記電子機器の電源をオンにさせることにより、前記初期化処理を開始するように、前記電子機器を制御する
請求項３に記載の制御装置。
【請求項５】
前記制御部は、前記変調信号のパワーが、第１の閾値以上である場合に、前記電子機器の電源をオンにさせ、前記変調信号のパワーが、前記第１の閾値より小さい第２の閾値以下である場合に、前記電子機器の電源をオフにさせる
請求項４に記載の制御装置。
【請求項６】
前記変調信号は、ミリ波帯の信号である
請求項３に記載の制御装置。
【請求項７】
前記電子機器は、バスパワーによる電源の供給が可能なケーブルが接続可能な電子機器である
請求項３に記載の制御装置。
【請求項８】
ベースバンドのベースバンド信号を、前記ベースバンドよりも高い所定の周波数帯域の信号に周波数変換した変調信号を受信し、前記ベースバンド信号に周波数変換し、
前記変調信号を周波数変換することにより得られる前記ベースバンド信号を用いて、前記変調信号のパワーを検出し、
前記変調信号のパワーの検出結果に基づいて、コネクションの確立が可能な状態になるための初期化処理を開始するように、又は、電源をオン若しくはオフにするように、前記ベースバンド信号を受信する電子機器を制御する
ステップを含む制御方法。
【請求項９】
ベースバンドのベースバンド信号を、前記ベースバンドよりも高い所定の周波数帯域の信号に周波数変換した変調信号を受信し、前記ベースバンド信号に周波数変換する受信部と、
前記受信部で受信された変調信号のパワーを検出するパワー検出部と、
前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部と
を備え、
バスパワーによる電源の供給が可能なバスパワーケーブルが接続可能な電子機器に接続されるように構成されたケーブル。
【請求項１０】
ベースバンドのベースバンド信号を、前記ベースバンドよりも高い所定の周波数帯域の信号に周波数変換した変調信号を受信し、前記ベースバンド信号に周波数変換する受信部と、
前記受信部で前記変調信号を周波数変換することにより得られる前記ベースバンド信号を用いて、前記変調信号のパワーを検出するパワー検出部と、
前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部と
を備え、
バスパワーによる電源の供給が可能なバスパワーケーブルが接続可能な前記電子機器。
【請求項１１】
ベースバンドのベースバンド信号を、前記ベースバンドよりも高い所定の周波数帯域の信号に周波数変換した変調信号を受信し、
前記変調信号を周波数変換することにより得られる前記ベースバンド信号を用いて、前記変調信号のパワーを検出し、
前記変調信号のパワーの検出結果に基づいて、コネクションの確立が可能な状態になるための初期化処理を開始するように、又は、電源をオン若しくはオフにするように、前記ベースバンド信号を受信する電子機器を制御する
装置に、前記変調信号を送信する送信部と、
前記変調信号の送信のオン及びオフを制御する制御部と
を備える通信装置。
【請求項１２】
前記制御部は、所定のイベントをトリガとして、前記変調信号の送信をオン又はオフにする
請求項１１に記載の通信装置。
【請求項１３】
前記制御部は、前記装置から信号が送信されてこないことをトリガとして、前記変調信号の送信をオフにする
請求項１２に記載の通信装置。
【請求項１４】
前記制御部は、ユーザの操作をトリガとして、前記変調信号の送信をオン又はオフにする
請求項１２に記載の通信装置。
【請求項１５】
前記制御部は、前記装置に送信すべきデータがないこと、及び、前記他の送信装置から受信すべきデータがないことをトリガとして、前記変調信号の送信をオフにする
請求項１２に記載の通信装置。
【請求項１６】
前記変調信号は、ミリ波帯の信号である
請求項１３に記載の通信装置。
【請求項１７】
前記電子機器は、バスパワーによる電源の供給が可能なケーブルが接続可能な電子機器である
請求項１３に記載の通信装置。
【請求項１８】
ベースバンドのベースバンド信号を、前記ベースバンドよりも高い所定の周波数帯域の信号に周波数変換した変調信号を受信し、前記ベースバンド信号に周波数変換し、
前記変調信号を周波数変換することにより得られる前記ベースバンド信号を用いて、前記変調信号のパワーを検出し、
前記変調信号のパワーの検出結果に基づいて、コネクションの確立が可能な状態になるための初期化処理を開始するように、又は、電源をオン若しくはオフにするように、前記ベースバンド信号を受信する電子機器を制御する
装置への、前記変調信号の送信のオン及びオフを制御する
ステップを含む制御方法。
【発明の詳細な説明】
【技術分野】
【０００１】
本技術は、制御装置、制御方法、ケーブル、電子機器、及び、通信装置に関し、特に、例えば、USB(Universal Serial Bus)ケーブル等の所定のケーブルが接続可能な電子機器の接続の態様のバリエーションを増やすことができるようにする制御装置、制御方法、ケーブル、電子機器、及び、通信装置に関する。
【背景技術】
【０００２】
例えば、USBケーブルが接続可能な電子機器には、USBホスト（となる電子機器）とUSBデバイス（となる電子機器）とがある。【０００３】
USBケーブルで接続されるUSBホストとUSBデバイスとでは、USBホストが主導的に、USBホストとUSBデバイスとの間の通信を制御する。【０００４】
USBは、バスパワー（ド）に対応しており、USBケーブルによれば、信号（データ）の他、USBホストからUSBデバイスに対して、電源を供給することができる。【０００５】
但し、USBでは、１本のUSBケーブルによって、電源として供給することができる電流の上限が規定されている。そこで、消費電流がUSBの規定の上限を超えるUSBデバイスに対して、USBホストから、電源を供給する技術が提案されている（例えば、特許文献１を参照）。
【先行技術文献】
【特許文献】
【０００６】
【特許文献１】特開2012-008716号公報
【発明の概要】
【発明が解決しようとする課題】
【０００７】
ところで、USBケーブル等の所定のケーブルが接続可能な電子機器については、接続の態様のバリエーションを増やすことが要請されている。【０００８】
本技術は、このような状況に鑑みてなされたものであり、電子機器の接続の態様のバリエーションを増やすことができるようにするものである。
【課題を解決するための手段】
【０００９】
本技術の制御装置は、ベースバンドのベースバンド信号を、前記ベースバンドよりも高い所定の周波数帯域の信号に周波数変換した変調信号を受信し、前記ベースバンド信号に周波数変換する受信部と、前記受信部で前記変調信号を周波数変換することにより得られる前記ベースバンド信号を用いて、前記変調信号のパワーを検出するパワー検出部と、前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部とを備える制御装置である。
【００１０】
本技術の制御方法は、ベースバンドのベースバンド信号を、前記ベースバンドよりも高い所定の周波数帯域の信号に周波数変換した変調信号を受信し、前記ベースバンド信号に周波数変換し、前記変調信号を周波数変換することにより得られる前記ベースバンド信号を用いて、前記変調信号のパワーを検出し、前記変調信号のパワーの検出結果に基づいて、コネクションの確立が可能な状態になるための初期化処理を開始するように、又は、電源をオン若しくはオフにするように、前記ベースバンド信号を受信する電子機器を制御するステップを含む制御方法である。
【００１１】
本技術のケーブルは、ベースバンドのベースバンド信号を、前記ベースバンドよりも高い所定の周波数帯域の信号に周波数変換した変調信号を受信し、前記ベースバンド信号に周波数変換する受信部と、前記受信部で受信された変調信号のパワーを検出するパワー検出部と、前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部とを備え、バスパワーによる電源の供給が可能なバスパワーケーブルが接続可能な電子機器に接続されるように構成されたケーブルである。【００１２】
本技術の電子機器は、ベースバンドのベースバンド信号を、前記ベースバンドよりも高い所定の周波数帯域の信号に周波数変換した変調信号を受信し、前記ベースバンド信号に周波数変換する受信部と、前記受信部で前記変調信号を周波数変換することにより得られる前記ベースバンド信号を用いて、前記変調信号のパワーを検出するパワー検出部と、前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部とを備え、バスパワーによる電源の供給が可能なバスパワーケーブルが接続可能な前記電子機器である。
【００１３】
本技術の制御装置、制御方法、ケーブル、及び、電子機器においては、ベースバンドのベースバンド信号を、前記ベースバンドよりも高い所定の周波数帯域の信号に周波数変換した変調信号を受信し、前記ベースバンド信号に周波数変換し、前記変調信号を周波数変換することにより得られる前記ベースバンド信号を用いて、前記変調信号のパワーを検出し、前記変調信号のパワーの検出結果に基づいて、コネクションの確立が可能な状態になるための初期化処理を開始するように、又は、電源をオン若しくはオフにするように、前記ベースバンド信号を受信する電子機器が制御される。
【００１４】
本技術の通信装置は、ベースバンドのベースバンド信号を、前記ベースバンドよりも高い所定の周波数帯域の信号に周波数変換した変調信号を受信し、前記変調信号を周波数変換することにより得られる前記ベースバンド信号を用いて、前記変調信号のパワーを検出し、前記変調信号のパワーの検出結果に基づいて、コネクションの確立が可能な状態になるための初期化処理を開始するように、又は、電源をオン若しくはオフにするように、前記ベースバンド信号を受信する電子機器を制御する装置に、前記変調信号を送信する送信部と、前記変調信号の送信のオン及びオフを制御する制御部とを備える通信装置である。
【００１５】
本技術の他の制御方法は、ベースバンドのベースバンド信号を、前記ベースバンドよりも高い所定の周波数帯域の信号に周波数変換した変調信号を受信し、前記ベースバンド信号に周波数変換し、前記変調信号を周波数変換することにより得られる前記ベースバンド信号を用いて、前記変調信号のパワーを検出し、前記変調信号のパワーの検出結果に基づいて、コネクションの確立が可能な状態になるための初期化処理を開始するように、又は、電源をオン若しくはオフにするように、前記ベースバンド信号を受信する電子機器を制御する装置への、前記変調信号の送信のオン及びオフを制御するステップを含む制御方法である。
【００１６】
本技術の通信装置、及び、他の制御方法においては、ベースバンドのベースバンド信号を、前記ベースバンドよりも高い所定の周波数帯域の信号に周波数変換した変調信号を受信し、前記ベースバンド信号に周波数変換し、前記変調信号を周波数変換することにより得られる前記ベースバンド信号を用いて、前記変調信号のパワーを検出し、前記変調信号のパワーの検出結果に基づいて、コネクションの確立が可能な状態になるための初期化処理を開始するように、又は、電源をオン若しくはオフにするように、前記ベースバンド信号を受信する電子機器を制御する装置への、前記変調信号の送信のオン及びオフが制御される。
【００１７】
なお、制御装置、及び、通信装置は、独立した装置であっても良いし、１つの装置を構成している内部ブロックであっても良い。
【発明の効果】
【００１８】
本技術によれば、電子機器の接続の態様のバリエーションを増やすことができる。【００１９】
なお、ここに記載された効果は必ずしも限定されるものではなく、本開示中に記載されたいずれかの効果であってもよい。
【図面の簡単な説明】
【００２０】
【図１】電子機器どうしがUSBケーブルにより接続された通信システムの構成例を示す図である。
【図２】通信システムの動作を説明する図である。
【図３】ミリ波帯の変調信号によるデータ伝送を行う通信システムの構成例を示す図である。
【図４】通信部５３及び６３の構成例を示すブロック図である。
【図５】送信部７１及び受信部８２の構成例を示す図である。
【図６】ミリ波帯の変調信号によるデータ伝送において不具合が生じる場合の例を説明する図である。
【図７】本技術を適用した通信システムの第１実施の形態の構成例を示す図である。
【図８】通信部１１１の構成例を示すブロック図である。
【図９】制御装置１２０の構成例を示すブロック図である。
【図１０】制御装置１２０の動作の例を説明するフローチャートである。
【図１１】信号パワー検出部１２１の構成例を示す図である。
【図１２】制御部１２２によるUSBデバイス４０の制御の例を説明する図である。
【図１３】制御装置１２０の動作の例を説明するフローチャートである。
【図１４】本技術を適用した通信システムの第２実施の形態の構成例を示す図である。
【図１５】本技術を適用した通信システムの第３実施の形態の構成例を示す図である。
【図１６】通信部３１１の構成例を示すブロック図である。
【図１７】制御装置３２０の構成例を示すブロック図である。
【図１８】制御装置３２０の動作の例を説明するフローチャートである。
【発明を実施するための形態】
【００２１】
＜電子機器どうしがUSBケーブルにより接続された通信システム＞
【００２２】
図１は、電子機器どうしがUSBケーブルにより接続された通信システムの構成例を示す図である。
【００２３】
図１の通信システムでは、USBホスト１０とUSBデバイス２０とが、USBケーブル３０により接続されている。
【００２４】
USBホスト１０は、例えば、PC(Personal Computer)やディジタルカメラ等の、独自に（バスパワーによらずに）外部電源から電源の供給を受けるか、又は、内蔵するバッテリから電源の供給を受けて動作する、少なくとも、USBホストとなる機能を有する電子機器である。
【００２５】
USBホスト１０は、USBケーブル３０のUSBコネクタ（プラグ）３１と接続可能なUSBコネクタ（ソケット）（レセプタクル）１１を有し、図１では、USBコネクタ１１に、USBコネクタ３１が挿入されることで、USBコネクタ１１と３１とが接続（結合）されている。
【００２６】
USBデバイス２０は、例えば、ディスクドライブ等の、バスパワーによる電源の供給を受けて動作する、少なくともUSBデバイスとなる機能を有する電子機器である。
【００２７】
USBデバイス２０は、USBケーブル３０のUSBコネクタ（プラグ）３２と接続可能なUSBコネクタ（ソケット）（レセプタクル）２１を有し、図１では、USBコネクタ２１に、USBコネクタ３２が挿入されることで、USBコネクタ２１と３２とが接続されている。
【００２８】
USBケーブル３０は、USBの規格に準拠したケーブルであり、一端には、USBホスト１０に接続されるUSBコネクタ３１が設けられ、他端には、USBデバイス２０に接続されるUSBコネクタ３２が設けられている。
【００２９】
なお、USBデバイス２０とUSBケーブル３０とは、USBケーブル３０のUSBコネクタ３２側を、USBデバイス２０に常時接続した形に、一体的に構成することができる。
【００３０】
図２は、図１の通信システムの動作を説明する図である。
【００３１】
USBデバイス２０は、USBケーブル３０を介して、USBホスト１０と接続されていない状態では、電源がオフになっている。
【００３２】
USBデバイス２０が、USBケーブル３０を介して、USBホスト１０と接続されると、USBホスト１０から、USBケーブル３０を介し、USBデバイス２０に対して、バスパワーによる電源の供給が開始される。
【００３３】
バスパワーによる電源の供給が開始されると、USBデバイス２０の電源はオンになり、その後、USBデバイス２０では、電源のオンをトリガとして、USBホスト１０との間で通信（データ伝送）を行うため、コネクションの確立が可能な状態になるための初期化処理が開始される。
【００３４】
そして、初期化処理の終了後、USBデバイス２０では、USBホスト１０との間で、コネクションが確立され、データ伝送が開始される。
【００３５】
＜ミリ波帯の変調信号によるデータ伝送を行う通信システム＞
【００３６】
図３は、ミリ波帯の変調信号によるデータ伝送を行う通信システムの構成例を示す図である。
【００３７】
なお、図中、図１の場合と対応する部分については、同一の符号を付してあり、以下では、その説明は、適宜省略する。
【００３８】
図３の通信システムは、USBホスト１０を有する点で、図１の場合と共通する。
【００３９】
但し、図３の通信システムは、USBデバイス２０に代えて、USBデバイス４０が設けられるとともに、USBケーブル３０に代えて、ミリ波ケーブル５０及び６０が設けられている点で、図１の場合と相違する。
【００４０】
ここで、ミリ波帯の（変調）信号とは、周波数が30ないし300GHz程度、つまり、波長が、1ないし10mm程度の信号である。ミリ波帯の信号によれば、周波数が高いことから、高速のデータレートでのデータ伝送が可能であり、小さなアンテナにより、自由空間を伝送路として、無線通信（ワイヤレス伝送）を行うことができる。また、ミリ波帯の信号によれば、メタリック線や、プラスチック等の誘電体を伝送路とする通信を行うことができる。
【００４１】
USBデバイス４０は、例えば、ディジタルカメラやプリンタ等の、独自に外部電源から電源の供給を受けるか、又は、内蔵するバッテリから電源の供給を受けて動作する、少なくとも、USBデバイスとなる機能を有する電子機器である。
【００４２】
本実施の形態では、USBデバイス４０は、電源回路４２を有し、電源回路４２は、外部電源から、USBデバイス４０に適切な電圧の電源を生成して、USBデバイス４０を構成する必要なブロック（図示せず）に供給する。
【００４３】
また、USBデバイス４０は、図１のUSBデバイス２０のUSBコネクタ２１と同様のUSBコネクタ４１を有する。
【００４４】
したがって、USBデバイス４０については、図１のUSBデバイス２０と同様に、USBコネクタ４１に対して、USBケーブル３０が接続可能である。USBホスト１０と、USBデバイス４０とが、USBケーブル３０を介して接続された場合には、USBデバイス４０は、USBホスト１０からのバスパワーによる電源の供給を受けずに動作する。
【００４５】
図３の通信システムでは、USBデバイス４０のUSBコネクタ４１には、ミリ波ケーブル６０のUSBコネクタ６１が挿入されることにより接続されている。
【００４６】
ミリ波ケーブル５０は、一端に、USBホスト１０に接続されるUSBコネクタ５１が設けられ、他端に、ミリ波コネクタ６２と勘合するミリ波コネクタ５２が設けられているケーブルである。
【００４７】
ミリ波ケーブル５０において、USBコネクタ５１、及び、USBコネクタ５１とミリ波コネクタ５２との間のライン（接続線）は、図１のUSBケーブル３０のUSBコネクタ３１、及び、USBコネクタ３１と３２との間のラインと、それぞれ同様に構成される。
【００４８】
ミリ波コネクタ５２は、ミリ波帯の変調信号（RF(Radio Frequency)信号）による通信を行う通信部５３を内蔵する。
【００４９】
通信部５３は、USBホスト１０から、USBコネクタ５１のデータ伝送用の端子（例えば、USB2.0であれば、いわゆる+Dと-Dの端子であり、例えば、USB3.0であれば、USB3.0用の+と-の信号送信線の端子）を介して供給されるベースバンド信号（ベースバンドの信号）である差動信号を、ミリ波帯の変調信号に周波数変換して送信する。
【００５０】
また、通信部５３は、ミリ波帯の変調信号を受信し、ベースバンド信号に周波数変換して、USBコネクタ５１のデータ伝送用の端子（例えば、USB2.0であれば、+Dと-Dの端子であり、例えば、USB3.0であれば、USB3.0用の+と-の信号受信線の端子）を介して、USBホスト１０に供給する。
【００５１】
ミリ波ケーブル６０は、ミリ波ケーブル５０と同様に構成される。
【００５２】
すなわち、ミリ波ケーブル６０は、一端に、USBデバイス４０に接続されるUSBコネクタ６１が設けられ、他端に、ミリ波コネクタ５２と勘合するミリ波コネクタ６２が設けられているケーブルである。
【００５３】
ミリ波ケーブル６０において、USBコネクタ６１、及び、USBコネクタ６１とミリ波コネクタ６２との間のラインは、図１のUSBケーブル３０のUSBコネクタ３２、及び、USBコネクタ３１と３２との間のラインと、それぞれ同様に構成される。
【００５４】
ミリ波コネクタ６２は、ミリ波帯の変調信号による通信を行う通信部６３を内蔵する。
【００５５】
通信部６３は、USBデバイス４０から、USBコネクタ６１のデータ伝送用の端子（例えば、USB2.0であれば、+Dと-Dの端子であり、例えば、USB3.0であれば、USB3.0用の+と-の（USBホスト１０側から見て）信号受信線の端子）を介して供給されるベースバンド信号である差動信号（ベースバンドの差動信号）を、ミリ波帯の変調信号に周波数変換して送信する。
【００５６】
また、通信部６３は、ミリ波帯の変調信号を受信し、ベースバンド信号に周波数変換して、USBコネクタ６１のデータ伝送用の端子（例えば、USB2.0であれば、+Dと-Dの端子であり、例えば、USB3.0であれば、USB3.0用の+と-の（USBホスト１０側から見て）信号送信線の端子）を介して、USBデバイス４０に供給する。
【００５７】
なお、USBデバイス４０とミリ波ケーブル６０とは、ミリ波ケーブル６０のUSBコネクタ６１側を、USBデバイス４０に常時接続した形に、一体的に構成することができる。
【００５８】
また、ミリ波ケーブル５０及び６０それぞれの長さとしては、例えば、10cmないし1m程度を採用することができる。
【００５９】
以上のように構成される図３の通信システムでは、USBコネクタ１１と５１、ミリ波コネクタ５２と６２、及び、USBコネクタ４１と６１のそれぞれが接続されると、USBホスト１０とUSBデバイス４０との間で、ミリ波ケーブル５０及び６０を介して、データ伝送が可能になる。
【００６０】
すなわち、USBホスト１０が送信するデータとしてのベースバンド信号は、通信部５３において、ミリ波の変調信号に周波数変換されて送信される。
【００６１】
通信部５３が送信する変調信号は、通信部６３で受信され、ベースバンド信号に周波数変換されて、USBデバイス４０に供給される。
【００６２】
一方、USBデバイス４０が送信するデータとしてのベースバンド信号は、通信部６３において、ミリ波の変調信号に周波数変換されて送信される。
【００６３】
通信部６３が送信する変調信号は、通信部５３で受信され、ベースバンド信号に周波数変換されて、USBホスト１０に供給される。
【００６４】
以上のように、図３の通信システムでは、USBホスト１０とUSBデバイス４０との間でのデータ伝送が、ミリ波の変調信号を介して行われるので、電子機器であるUSBホスト１０とUSBデバイス４０とを、USBケーブル３０ではなく、ミリ波ケーブル５０及び６０で接続することができ、電子機器どうしの接続の態様のバリエーションを増やすことができる。
【００６５】
ここで、図３の通信システムにおいて、ミリ波の変調信号の送受信が行われる通信部５３及び６３を内蔵するミリ波コネクタ５２及び６２は、プラスチック等の誘電体やその他の非金属で構成することができる。
【００６６】
したがって、ミリ波コネクタ５２及び６２によれば、金属で構成されるコネクタに比較して、防水や防塵の対応が容易になり、挿抜による接点の劣化を考慮せずに済み、さらに、デザインの自由度を高くすることができる。
【００６７】
なお、ミリ波コネクタ５２及び６２は、非金属ではなく、金属で構成することができる。
【００６８】
また、図３では、通信部５３が、ミリ波コネクタ５２に内蔵されているが、通信部５３は、その他、例えば、USBコネクタ５１に内蔵させることができる。
【００６９】
通信部５３を、USBコネクタ５１に内蔵させる場合には、ミリ波ケーブル５０のUSBコネクタ５１とミリ波コネクタ５２との間を、ミリ波の伝送路となるように構成すること（例えば、誘電率が異なる誘電体によって、ミリ波を導く伝送路を形成すること等）が必要である。
【００７０】
同様に、通信部６３は、ミリ波コネクタ６２ではなく、USBコネクタ６１に内蔵させることができる。通信部６３を、USBコネクタ６１に内蔵させる場合には、やはり、ミリ波ケーブル６０のUSBコネクタ６１とミリ波コネクタ６２との間を、ミリ波の伝送路となるように構成することが必要である。
【００７１】
ここで、ミリ波コネクタ５２及び６２は、上述のように、金属、及び、非金属のいずれによっても構成することができるが、非金属で構成する方が、金属で構成するよりも、メリットが大きい。
【００７２】
そこで、ミリ波コネクタ５２及び６２を、非金属で構成することとすると、図１のUSBケーブル３０で、USBホスト１０とUSBデバイス２０とを接続する場合に行うことが可能なバスパワーによる電源の供給を行うことが困難となる。
【００７３】
そのため、図３のように、ミリ波ケーブル５０及び６０で、USBホスト１０とUSBデバイス４０とを接続する場合には、USBデバイス４０として、例えば、バスパワーによる電源の供給を受けるのではなく、独自に外部電源から電源の供給を受けるか、又は、内蔵するバッテリから電源の供給を受けて動作する電子機器を採用することとする。
【００７４】
以上のように、USBデバイス４０は、独自に外部電源から電源の供給を受けるか、又は、内蔵するバッテリから電源の供給を受けて動作するので、バスパワーによる電源の供給を受けて動作する図１のUSBデバイス２０と異なり、USBデバイス４０の電源の状態は、USBホスト１０との接続に影響を受けず、USBホスト１０と接続され、又は、その接続が解除されても、オン又はオフのままになる。
【００７５】
なお、本実施の形態では、USBデバイス４０の電源は、例えば、オンになっていることとする。
【００７６】
＜通信部５３及び６３の構成例＞
【００７７】
図４は、図３の通信部５３及び６３の構成例を示すブロック図である。
【００７８】
通信部５３は、送信部７１及び受信部７２を有する。
【００７９】
送信部７１は、例えば、ミリ波帯の信号をキャリアとして用いる搬送波通信方式で、信号（データ）を送信する。すなわち、送信部７１は、ベースバンドの信号であるベースバンド信号を、ミリ波帯の変調信号に周波数変換して送信する。
【００８０】
受信部７２は、搬送波通信方式で送信されてくるミリ波帯の変調信号を受信し、ベースバンド信号に周波数変換して出力する。
【００８１】
通信部６３は、送信部８１及び受信部８２を有する。
【００８２】
送信部８１は、例えば、送信部７１と同一の周波数帯、又は、送信部７１と異なる周波数帯のミリ波の信号をキャリアとして用いる搬送波通信方式で、信号を送信する。すなわち、送信部８１は、ベースバンド信号を、ミリ波帯の変調信号に周波数変換して送信する。
【００８３】
受信部８２は、受信部７２と同様に、搬送波通信方式で送信されてくるミリ波帯の変調信号を受信し、ベースバンド信号に周波数変換して出力する。
【００８４】
以上のように、通信部５３が、送信部７１及び受信部７２を有するとともに、通信部６３が、送信部８１及び受信部８２を有するので、通信部５３と６３との間では、双方向の通信を行うことができる。
【００８５】
なお、送信部７１及び８１において、同一の周波数帯のミリ波の信号をキャリアとして用いる場合には、通信部５３と６３との間では、半二重の通信を行うことができる。但し、送信部７１及び８１において、同一の周波数帯のミリ波の信号をキャリアとして用いる場合であっても、送信部７１及び８１のアイソレーションをとることにより、全二重の通信を行うことができる。また、送信部７１及び８１において、異なる周波数帯のミリ波の信号をキャリアとして用いる場合には、通信部５３と６３との間では、全二重の通信を行うことができる。
【００８６】
図５は、図４の送信部７１及び受信部８２の構成例を示す図である。
【００８７】
なお、図４の送信部８１は、送信部７１と同様に構成され、図４の受信部７２は、受信部８２と同様に構成される。
【００８８】
送信部７１は、アンプ９１、発振器９２、ミキサ９３、アンプ９４を有する。
【００８９】
アンプ９１には、USBホスト１０から、ベースバンド信号である差動信号（例えば、USB2.0であれば、+Dと-Dの信号であり、例えば、USB3.0であれば、USB3.0用の+と-の信号送信線の信号）が供給される。
【００９０】
アンプ９１は、差動信号を必要に応じて増幅し、ミキサ９３に供給する。
【００９１】
発振器９２は、発振によって、例えば、56GHz等のミリ波帯のキャリアを発生し、ミキサ９３に供給する。
【００９２】
ここで、56GHz等のミリ波帯のキャリアによれば、例えば、最大で、11Gbpsのデータレートの差動信号を送信することができる。例えば、USB3.0では、最大のデータレートが、5Gbps(Giga bit per second)であるので、56GHz等のミリ波帯のキャリアによれば、USB3.0のデータ（差動信号）を、問題なく送信することができる。
【００９３】
ミキサ９３は、アンプ９１からの差動信号と、発振器９２からのキャリアとをミキシング（乗算）することにより、差動信号を、発振器９２からのキャリアによって周波数変換し、その結果得られる、ミリ波帯の、例えば、振幅変調(ASK(Amplitude Shift Keying))の変調信号を、アンプ９４に供給する。
【００９４】
アンプ９４は、ミキサ９３からの変調信号を必要に応じて増幅し、図示せぬミリ波の伝送路上に送信する。
【００９５】
受信部８２は、アンプ１０１、ミキサ１０２、及び、アンプ１０３を有する。
【００９６】
アンプ１０１は、送信部７１から送信されてくるミリ波帯の変調信号を受信し、必要に応じて増幅して、ミキサ１０２に供給する。
【００９７】
ミキサ１０２は、アンプ１０１から供給されるミリ波帯の変調信号どうしをミキシングする（変調信号を自乗する）自乗検波を行うことで、アンプ１０１からのミリ波帯の変調信号を、ベースバンド信号である差動信号に周波数変換し、アンプ１０３に供給する。
【００９８】
アンプ１０３は、ミキサ１０２からの差動信号を、必要に応じて増幅し、USBの差動信号（例えば、USB2.0であれば、+Dと-Dの信号であり、例えば、USB3.0であれば、USB3.0用の+と-の信号送信線の信号）として、USBデバイス４０に供給する。
【００９９】
なお、図５では、受信部８２において、自乗検波によって、ミリ波帯の変調信号をベースバンド信号に周波数変換することとしたが、受信部８２では、その他、例えば、キャリアを再生して、そのキャリアを変調信号とミキシングする同期検波等の、自乗検波以外の検波によって、変調信号をベースバンド信号に周波数変換することができる。
【０１００】
＜ミリ波帯の変調信号によるデータ伝送において不具合が生じる場合＞
【０１０１】
図６は、ミリ波帯の変調信号によるデータ伝送において不具合が生じる場合の例を説明する図である。
【０１０２】
図３で説明したように、USBデバイス４０の電源は、オンになっており、その電源のオン及びオフは、USBホスト１０との接続に影響を受けない。
【０１０３】
一方、USBデバイスでは、バスパワーによる電源によって動作するUSBデバイス２０のように、電源のオンをトリガとして、USBホスト１０との間で通信（データ伝送）を行うために、コネクションの確立が可能な状態になるための初期化処理が開始されることが多い。
【０１０４】
いま、USBデバイス４０が、USBデバイス２０と同様に、電源のオンをトリガとして、初期化処理（例えば、パワーオンリセットを含む処理）を行うこととすると、図３に示したように、USBホスト１０とUSBデバイス４０とを、ミリ波ケーブル５０及び６０を介して接続することにより、ミリ波帯の変調信号によるデータ伝送を行う場合に、そのミリ波帯の変調信号によるデータ伝送において不具合が生じることがある。
【０１０５】
すなわち、図３に示したように、ミリ波ケーブル５０及び６０を介して接続されているUSBホスト１０とUSBデバイス４０との接続を、例えば、図６に示すように、ミリ波コネクタ５２と６２との接続を解除することにより遮断（切断）しても、USBデバイス４０の電源は、オフにならず、オンのままになる。
【０１０６】
その後、再び、ミリ波コネクタ５２と６２と接続することにより、USBホスト１０とUSBデバイス４０とを、ミリ波ケーブル５０及び６０を介して接続した場合、USBデバイス４０の電源は、オンのままであり、そのため、USBデバイス４０において、初期化処理は開始されない。
【０１０７】
初期化処理は、USBデバイス４０が、USBホスト１０とのコネクションの確立が可能な状態になるための処理（を含む処理）であるため、USBデバイス４０において、初期化処理が行われないと、USBデバイス４０は、コネクションの確立が可能な状態にならない。
【０１０８】
したがって、USBホスト１０とUSBデバイス４０とが、ミリ波ケーブル５０及び６０を介して接続されても、USBホスト１０とUSBデバイス４０との間で、コネクションを確立することができず、その結果、データ伝送を行うことができないという不具合が生じることがある。
【０１０９】
そこで、本技術では、電子機器の接続の態様のバリエーションを増やしつつ、データ伝送を行うことができないという不具合が生じることを防止する。
【０１１０】
＜本技術を適用した通信システムの第１実施の形態＞
【０１１１】
図７は、本技術を適用した通信システムの第１実施の形態の構成例を示す図である。
【０１１２】
なお、図中、図３の場合と対応する部分については、同一の符号を付してあり、以下では、その説明は、適宜省略する。
【０１１３】
図７の通信システムは、USBホスト１０、USBデバイス４０、及び、ミリ波ケーブル５０を有する点で、図３の場合と共通する。
【０１１４】
但し、図７の通信システムは、ミリ波ケーブル６０に代えて、ミリ波ケーブル１１０が設けられている点で、図３の場合と相違する。
【０１１５】
ミリ波ケーブル１１０は、USBコネクタ６１、及び、ミリ波コネクタ６２を有する点で、図３のミリ波ケーブル６０と共通する。
【０１１６】
但し、ミリ波ケーブル１１０は、ミリ波コネクタ６２が、通信部６３に代えて、通信部１１１を内蔵する点で、図３のミリ波ケーブル６０と相違する。
【０１１７】
なお、図３の場合と同様に、USBデバイス４０とミリ波ケーブル１１０とは、ミリ波ケーブル１１０のUSBコネクタ６１側を、USBデバイス４０に常時接続した形に、一体的に構成することができる。
【０１１８】
さらに、図３の場合と同様に、通信部１１１は、ミリ波コネクタ６２ではなく、USBコネクタ６１に内蔵させることができる。
【０１１９】
＜通信部１１１の構成例＞
【０１２０】
図８は、図７の通信部１１１の構成例を示すブロック図である。
【０１２１】
なお、図中、図４の通信部６３と対応する部分については、同一の符号を付してあり、以下では、その説明は、適宜省略する。
【０１２２】
図８の通信部１１１は、送信部８１及び受信部８２を有する点で、図４の通信部６３と共通する。
【０１２３】
但し、図８の通信部１１１は、制御装置１２０が新たに設けられている点で、図４の通信部６３と相違する。
【０１２４】
制御装置１２０は、受信部８２で受信された変調信号のパワーを検出し、そのパワーの検出結果に基づいて、初期化処理を開始するように、ベースバンド信号である差動信号を受信する電子機器としてのUSBデバイス４０を制御する。
【０１２５】
＜制御装置１２０の構成例＞
【０１２６】
図９は、図８の制御装置１２０の構成例を示すブロック図である。
【０１２７】
制御装置１２０は、信号パワー検出部１２１と制御部１２２とを有する。
【０１２８】
信号パワー検出部１２１は、受信部８２を監視し、受信部８２で受信された変調信号のパワーを検出して、そのパワーの検出結果を、制御部１２２に供給する。
【０１２９】
制御部１２２は、信号パワー検出部１２１からの変調信号のパワーの検出結果に基づき、初期化処理を開始するように、USBコネクタ６１及び４１を介して、USBデバイス４０を制御する。
【０１３０】
図１０は、図９の制御装置１２０の動作の例を説明するフローチャートである。
【０１３１】
ステップＳ１１において、信号パワー検出部１２１は、受信部８２を監視し、受信部８２で受信された変調信号のパワーを検出し、そのパワーの検出結果を、制御部１２２に供給して、処理は、ステップＳ１２に進む。
【０１３２】
ステップＳ１２では、制御部１２２は、信号パワー検出部１２１からの変調信号のパワーの検出結果に基づき、初期化処理を開始するように、USBデバイス４０を制御する。
【０１３３】
すなわち、例えば、変調信号のパワーが所定の閾値以上であり、したがって、USBホスト１０とUSBデバイス４０とが、ミリ波ケーブル５０及び１１０を介して接続され、USBホスト１０からUSBデバイス４０に対して、データ伝送が行われていると認められる場合、制御部１２２は、初期化処理を開始するように、USBデバイス４０を制御する。
【０１３４】
そして、処理は、ステップＳ１２からステップＳ１１に戻り、以下、ステップＳ１１及び１２の処理が繰り返される。
【０１３５】
＜信号パワー検出部１２１の構成例＞
【０１３６】
図１１は、図９の信号パワー検出部１２１の構成例を示す図である。
【０１３７】
図１１において、信号パワー検出部１２１は、抵抗R1及びR2、コンデンサC1及びC2、並びに、検出部１３１を有する。
【０１３８】
抵抗R1の一端は、アンプ１０３の差動信号を出力する２つの端子のうちの、差動信号の一方の信号である非反転信号を出力する端子に接続され、他端は、コンデンサC1の一端に接続されている。コンデンサC1の他端は、電源Vdに接続されている。
【０１３９】
抵抗R2の一端は、アンプ１０３の差動信号を出力する２つの端子のうちの、差動信号の他方の信号である反転信号を出力する端子に接続され、他端は、コンデンサC2の一端に接続されている。コンデンサC2の他端は、電源Vsに接続されている。
【０１４０】
ここで、差動信号である反転信号と非反転信号とは、理想的には、それらの反転信号と非反転信号との加算値が0になる信号である。
【０１４１】
また、電源Vdは、例えば、電圧が+v(>0)の電源で、電源Vsは、例えば、電源Vdの電圧が-vの電源である。
【０１４２】
検出部１３１には、抵抗R1とコンデンサC1との接続点の電圧V1と、抵抗R2とコンデンサC2との接続点の電圧V2とが供給される。
【０１４３】
ここで、抵抗R1とコンデンサC1との接続点には、差動信号のうちの非反転信号のDCオフセットが現れ、抵抗R2とコンデンサC2との接続点には、差動信号のうちの反転信号のDCオフセットが現れる。
【０１４４】
したがって、電圧V1は、非反転信号のDCオフセットであり、電圧V2は、反転信号のDCオフセットである。
【０１４５】
検出部１３１は、電圧V1とV2との差分V1-V2を、受信部８２で受信された変調信号のパワーとして検出する。
【０１４６】
ここで、受信部８２において変調信号が受信されていない場合には、すなわち、変調信号のパワーが0（又は0とみなせる値）である場合には、非反転信号及び反転信号のDCオフセットは、（ほぼ）0となる。
【０１４７】
一方、ミリ波コネクタ５２と６２とが接続され、USBホスト１０からUSBデバイス４０に変調信号が送信されてきた場合には、非反転信号及び反転信号のDCオフセットV1及びV2は、変調信号のパワーに対応する大きさになる。
【０１４８】
そこで、検出部１３１では、差動信号である非反転信号及び反転信号のDCオフセット（電圧）V1及びV2を、受信部８２で受信された変調信号のパワーとして検出する。
【０１４９】
ここで、例えば、非反転信号のDCオフセットV1が、+a(>0)であるとすると、反転信号のDCオフセットV2は、理想的には、-aになる。すなわち、非反転信号のDCオフセットV1と、反転信号のDCオフセットV2とは、理想的には、大きさが同一で、符号が反転した値になる。
【０１５０】
したがって、検出部１３１では、非反転信号のDCオフセットV1、及び、反転信号のDCオフセットV2のうちのいずれか一方だけを、受信部８２で受信された変調信号のパワーとして検出することができる。
【０１５１】
但し、検出部１３１において、上述したように、電圧V1とV2との差分V1-V2を、受信部８２で受信された変調信号のパワーとして検出することにより、DCオフセットV1及びV2のうちのいずれか一方だけを、変調信号のパワーとして検出する場合に比較して、変調信号のパワーの検出の感度を改善することができる。
【０１５２】
なお、図１１では、信号パワー検出部１２１において、受信部８２のアンプ１０３の出力を用いて、受信部８２で受信された変調信号のパワーを検出することとしたが、信号パワー検出部１２１では、その他、例えば、ミキサ１０２の出力や、アンプ１０１の出力を用いて、受信部８２で受信された変調信号のパワーを検出することができる。
【０１５３】
図１２は、図９の制御部１２２によるUSBデバイス４０の制御の例を説明する図である。
【０１５４】
制御部１２２は、信号パワー検出部１２１からの変調信号のパワーの検出結果に基づき、初期化処理を開始するように、USBコネクタ６１及び４１を介して、USBデバイス４０を制御する。
【０１５５】
ここで、図６で説明したように、USBデバイス４０は、USBデバイス２０と同様に、電源のオンをトリガとして、初期化処理を行うようになっている。
【０１５６】
そこで、制御部１２２は、変調信号のパワーが所定の閾値以上であり、したがって、ミリ波コネクタ５２と６２とが接続され、USBホスト１０からUSBデバイス４０に変調信号が送信されてきたと認識（判定）される場合には、USBデバイス４０の電源を（オフから）オンにさせることにより、初期化処理を開始するように、USBデバイス４０を制御する。
【０１５７】
また、USBデバイス４０の電源がオンになっている場合において、変調信号のパワーが所定の閾値以下であり、したがって、ミリ波コネクタ５２と６２との接続が解除され、USBデバイス４０において、USBホスト１０からの変調信号を受信することができないと認識（判定）される場合には、制御部１２２は、USBデバイス４０の電源をオフにするように、USBデバイス４０を制御する。
【０１５８】
そして、USBデバイス４０の電源がオフになっている場合において、変調信号のパワーが所定の閾値以上になった場合には、上述したように、制御部１２２は、USBデバイス４０の電源をオンにさせることにより、初期化処理を開始するように、USBデバイス４０を制御する。
【０１５９】
ここで、制御部１２２において、USBデバイス４０の電源をオンにするときの第１の閾値を、オン閾値THONというとともに、オフにするときの第２の閾値を、オフ閾値THOFFということとする。
【０１６０】
いま、オン閾値THON及びオフ閾値THOFFとして、同一の所定の閾値を採用すると、変調信号のパワーが、所定の閾値付近の値である場合に、USBデバイス４０の電源のオンとオフとの切り替えが、頻繁に生じることがある。
【０１６１】
そこで、オン閾値THONとオフ閾値THOFFとしては、図１２に示すように、式THON>THOFFの関係がある異なる値を採用し、制御部１２２によるUSBデバイス４０の電源の制御に、いわゆるヒステリシスを持たせることができる。
【０１６２】
この場合、変調信号のパワーが、オン閾値THON以上となると、USBデバイス４０の電源がオンにされるが、USBデバイス４０の電源がオンであるときには、変調信号のパワーが、オン閾値THON以下になっても、USBデバイス４０の電源は、オフにされない。
【０１６３】
USBデバイス４０の電源がオンであるときには、変調信号のパワーが、オン閾値THONよりも小さいオフ閾値THOFF以下になると、USBデバイス４０の電源がオフにされる。
【０１６４】
そして、USBデバイス４０の電源がオフであるときには、変調信号のパワーが、オフ閾値THOFF以上になっても、USBデバイス４０の電源は、オンにされない。
【０１６５】
USBデバイス４０の電源がオフであるときには、変調信号のパワーが、オフ閾値THOFFよりも大きい閾値THON以上になると、USBデバイス４０の電源がオンにされる。
【０１６６】
以上のように、制御部１２２によるUSBデバイス４０の電源の制御に、ヒステリシスを持たせることにより、USBデバイス４０の電源のオンとオフとの切り替えが、頻繁に生じることを防止することができる。
【０１６７】
図１３は、信号パワー検出部１２１が図１１に示したように構成される場合の制御装置１２０の動作の例を説明するフローチャートである。
【０１６８】
なお、図１３のフローチャートに従った動作の開始前においては、USBデバイス４０の電源は、オフになっていることとする。
【０１６９】
ステップＳ２１において、信号パワー検出部１２１は、受信部８２が出力する、ミリ波帯の変調信号を周波数変換したベースバンド信号としての差動信号の非反転信号のDCオフセットV1と、差動信号の反転信号のDCオフセットV2との差分V1-V2を、受信部８２で受信された変調信号のパワーとして検出して、制御部１２２に供給し、処理は、ステップＳ２２に進む。
【０１７０】
ステップＳ２２では、制御部１２２は、信号パワー検出部１２１からの変調信号のパワー（以下、信号パワーともいう）が、オン閾値THON以上であるかどうかを判定する。
【０１７１】
ステップＳ２２において、信号パワーがオン閾値THON以上でないと判定された場合、すなわち、ミリ波コネクタ５２と６２とが接続されておらず、USBホスト１０からUSBデバイス４０に変調信号が送信されてきていない場合、処理は、ステップＳ２１に戻り、以下、同様の処理が繰り返される。
【０１７２】
また、ステップＳ２２において、信号パワーがオン閾値THON以上であると判定された場合、すなわち、ミリ波コネクタ５２と６２とが接続され、USBホスト１０からUSBデバイス４０に変調信号が送信されてきた場合、処理は、ステップＳ２３に進み、制御部１２２は、USBデバイス４０の電源をオンにするように、USBデバイス４０を制御する。
【０１７３】
USBデバイス４０では、制御部１２２の制御に従い、電源がオンにされ、その電源のオンをトリガとして、初期化処理が行われる。初期化処理によって、USBデバイス４０は、（USBの）コネクションの確立が可能な状態になり、USBホスト１０との間で、コネクションを確立して、データ伝送が可能になる。
【０１７４】
その後、処理は、ステップＳ２３からステップＳ２４に進み、信号パワー検出部１２１は、ステップＳ２１と同様に、差動信号の非反転信号のDCオフセットV1と、差動信号の反転信号のDCオフセットV2との差分V1-V2を、受信部８２で受信された変調信号のパワーとして検出して、制御部１２２に供給し、処理は、ステップＳ２５に進む。
【０１７５】
ステップＳ２５では、制御部１２２は、信号パワー検出部１２１からの変調信号のパワー（信号パワー）が、オフ閾値THOFF以下であるかどうかを判定する。
【０１７６】
ステップＳ２５において、信号パワーがオフ閾値THOFF以下でないと判定された場合、すなわち、例えば、ミリ波コネクタ５２と６２との接続が解除されておらず、USBデバイス４０において、USBホスト１０からの変調信号を受信することができる場合、処理は、ステップＳ２４に戻り、以下、同様の処理が繰り返される。
【０１７７】
また、ステップＳ２５において、信号パワーがオフ閾値THOFF以下であると判定された場合、すなわち、例えば、ミリ波コネクタ５２と６２との接続が解除され、USBデバイス４０において、USBホスト１０からの変調信号を受信することができない場合、処理は、ステップＳ２６に進み、制御部１２２は、USBデバイス４０の電源をオフにするように、USBデバイス４０を制御する。
【０１７８】
USBデバイス４０では、制御部１２２の制御に従い、電源がオフにされる。そして、処理は、ステップＳ２６からステップＳ２１に戻り、以下、同様の処理が繰り返される。
【０１７９】
以上のように、制御装置１２０では、ミリ波帯の変調信号のパワーの検出結果に基づいて、コネクションの確立が可能な状態になるための初期化処理を開始するように、USBデバイス４０を制御するので、USBデバイス４０において、初期化処理が行われず、その結果、USBデバイス４０が、コネクションの確立が可能な状態にならないことに起因して、ミリ波帯の変調信号を利用したデータ伝送を行うことができなくなることを防止することができる。
【０１８０】
また、制御装置１２０では、ミリ波帯の変調信号のパワーの検出結果に基づいて、電源をオン又はオフにするように、USBデバイス４０を制御することができる。
【０１８１】
上述したように、USBデバイス４０が、電源のオンをトリガとして、初期化処理を行う場合には、ミリ波帯の変調信号のパワーの検出結果に基づいて、USBデバイス４０の電源のオン及びオフを制御することで、USBデバイス４０に、初期化処理を開始させることができる。
【０１８２】
また、ミリ波帯の変調信号のパワーの検出結果に基づいて、電源をオン又はオフにするように、USBデバイス４０を制御する場合には、ユーザが、ミリ波コネクタ５２と６２とを接続することや、その接続を解除することで、USBデバイス４０の電源をオン／オフすることができる。
【０１８３】
したがって、ミリ波帯の変調信号のパワーの検出結果に基づいて、電源をオン又はオフにするように、USBデバイス４０を制御する場合には、例えば、USBデバイス４０がハングアップしたとき等に、ユーザが、ミリ波コネクタ５２と６２との接続を解除し、再び、ミリ波コネクタ５２と６２とを接続することで、USBデバイス４０の電源が一旦オフにされた後、オンにされ、パワーオンリセットの処理が行われることにより、USBデバイス４０を、ハングアップの状態から、正常な状態に回復させることが可能になる。
【０１８４】
また、ユーザが、ミリ波コネクタ５２と６２との接続を解除することで、USBデバイス４０の電源をオフにすることができるので、ミリ波コネクタ５２と６２とが接続されていない場合、すなわち、USBホスト１０とUSBデバイス４０とが接続されていない場合の、USBデバイス４０の電力消費を抑制することができる。
【０１８５】
ここで、制御装置１２０（の制御部１２２）において、USBデバイス４０の電源のオン及びオフの制御は、USBデバイス４０が、例えば、USB3.0に準拠している場合には、例えば、USB2.0のデータ伝送用の+Dと-Dの信号がやりとりされる信号線を介して行うことができる。
【０１８６】
＜本技術を適用した通信システムの第２実施の形態＞
【０１８７】
図１４は、本技術を適用した通信システムの第２実施の形態の構成例を示す図である。
【０１８８】
なお、図中、図７の場合と対応する部分については、同一の符号を付してあり、以下では、その説明は、適宜省略する。
【０１８９】
図１４の通信システムでは、USBホスト２１０とUSBデバイス２２０とが、ミリ波伝送用ケーブル２３０により接続されている。
【０１９０】
USBホスト２１０は、USBホスト１０と同様のUSBホストとなる機能を有する電子機器であり、USBインターフェース２１１及びミリ波コネクタ２１２を有する。
【０１９１】
USBインターフェース２１１は、USBによるデータ伝送を制御するインターフェースであり、ミリ波コネクタ２１２に接続されている。
【０１９２】
ミリ波コネクタ２１２は、通信部５３を内蔵し、ミリ波コネクタ５２（図３）（図７）と同様に構成される。
【０１９３】
USBデバイス２２０は、USBデバイス４０と同様のUSBデバイスとなる機能を有する電子機器であり、USBインターフェース２２１及びミリ波コネクタ２２２を有する。
【０１９４】
USBインターフェース２２１は、USBによるデータ伝送を制御するインターフェースであり、ミリ波コネクタ２２２に接続されている。
【０１９５】
ミリ波コネクタ２２２は、通信部１１１を内蔵し、ミリ波コネクタ６２（図７）と同様に構成される。
【０１９６】
なお、USBデバイス２２０は、USBデバイス４０が有する電源回路４２と同様の電源回路を有するが、その電源回路の図示は、省略してある。
【０１９７】
ミリ波伝送用ケーブル２３０は、一端に、USBホスト２１０のミリ波コネクタ２１２と勘合するミリ波コネクタ２３１が設けられ、他端に、USBデバイス２２０のミリ波コネクタ２２２と勘合するミリ波コネクタ２３２が設けられている、ミリ波の伝送路となるケーブルである。
【０１９８】
図１４では、USBホスト２１０のミリ波コネクタ２１２に、ミリ波伝送用ケーブル２３０のミリ波コネクタ２３１が接続されるとともに、USBデバイス２２０のミリ波コネクタ２２２に、ミリ波伝送用ケーブル２３０のミリ波コネクタ２３２が接続されることによって、USBホスト２１０と、USBデバイス２２０とが、ミリ波伝送用ケーブル２３０を介して接続されている。
【０１９９】
そして、通信部２１２と２２２との間で、ミリ波伝送用ケーブル２３０を介して、ミリ波帯の変調信号がやりとりされることで、USBホスト２１０のUSBインターフェース２１１と、USBデバイス２２０のUSBインターフェース２２１との間で、USBによるデータ伝送が行われる。
【０２００】
図１４では、ミリ波コネクタ２１２，２２２，２３１、及び、２３２は、ミリ波コネクタ５２及び６２（図３）（図７）と同様に、非金属で構成することができ、この場合、金属で構成されるコネクタに比較して、防水や防塵の対応が容易になり、挿抜による接点の劣化を考慮せずに済み、さらに、デザインの自由度を高くすることができる。
【０２０１】
ここで、図７の通信システムでは、USBホスト１０とUSBデバイス４０との間で、データ伝送を行うのに、２本のミリ波ケーブル５０及び６０で、USBホスト１０とUSBデバイス４０とを接続する必要がある。
【０２０２】
但し、図７の通信システムでは、図１４の場合のように、USBホスト１０やUSBデバイス４０に、ミリ波コネクタ２１２や２２２のようなミリ波コネクタを設ける必要がない。
【０２０３】
一方、図１４の通信システムでは、USBホスト２１０に、ミリ波コネクタ２１２を設けるとともに、USBデバイス２２０に、ミリ波コネクタ２２２を設ける必要がある。
【０２０４】
但し、図１４の通信システムでは、USBホスト２１０とUSBデバイス２２０との間で、データ伝送を行うのに、１本のミリ波伝送用ケーブル２３０で、USBホスト２１０とUSBデバイス２２０とを接続することができる。
【０２０５】
さらに、図１４の通信システムでは、USBホスト２１０とミリ波伝送用ケーブル２３０との接続部分、及び、USBデバイス２２０とミリ波伝送用ケーブル２３０との接続部分の両方で、防水や防塵の対応が容易になる等のメリットを享受することができる。
【０２０６】
＜本技術を適用した通信システムの第３実施の形態＞
【０２０７】
図１５は、本技術を適用した通信システムの第３実施の形態の構成例を示す図である。
【０２０８】
なお、図中、図７の場合と対応する部分については、同一の符号を付してあり、以下では、その説明は、適宜省略する。
【０２０９】
図１５の通信システムは、USBホスト１０、USBデバイス４０、及び、ミリ波ケーブル１１０を有する点で、図７の場合と共通する。
【０２１０】
但し、図１５の通信システムは、ミリ波ケーブル５０に代えて、ミリ波ケーブル３１０が設けられている点で、図７の場合と相違する。
【０２１１】
ミリ波ケーブル３１０は、USBコネクタ５１、及び、ミリ波コネクタ５２を有する点で、図７のミリ波ケーブル５０と共通する。
【０２１２】
但し、ミリ波ケーブル３１０は、ミリ波コネクタ５２が、通信部５３に代えて、通信部３１１を内蔵する点で、図７のミリ波ケーブル５０と相違する。
【０２１３】
なお、図３の通信部５３の場合と同様に、ミリ波ケーブル３１０のUSBコネクタ５１とミリ波コネクタ５２との間を、ミリ波の伝送路となるように構成し、通信部３１１を、ミリ波コネクタ５２ではなく、USBコネクタ５１に内蔵させることができる。
【０２１４】
＜通信部３１１の構成例＞
【０２１５】
図１６は、図１５の通信部３１１の構成例を示すブロック図である。
【０２１６】
なお、図中、図８の通信部５３と対応する部分については、同一の符号を付してあり、以下では、その説明は、適宜省略する。
【０２１７】
図１６の通信部３１１は、送信部７１及び受信部７２を有する点で、図８の通信部５３と共通する。
【０２１８】
但し、図１６の通信部３１１は、制御装置３２０が新たに設けられている点で、図８の通信部５３と相違する。
【０２１９】
制御装置３２０は、送信部７１による変調信号の送信のオン及びオフを制御する。
【０２２０】
＜制御装置３２０の構成例＞
【０２２１】
図１７は、図１６の制御装置３２０の構成例を示すブロック図である。
【０２２２】
制御装置３２０は、判定部３２１と制御部３２２とを有する。
【０２２３】
判定部３２１は、変調信号の送信をオン／オフにする所定のイベント（以下、オン／オフイベントともいう）が発生したかどうかを判定し、その判定結果を、制御部３２２に供給する。
【０２２４】
制御部３２２は、判定部３２１からの判定結果に基づき、オン／オフイベントをトリガとして、送信部７３の、例えば、アンプ９４を制御することにより、そのアンプ９４による変調信号の送信をオン又はオフにする。
【０２２５】
図１８は、図１７の制御装置３２０の動作の例を説明するフローチャートである。
【０２２６】
ステップＳ３１において、判定部３２１は、変調信号の送信をオンにすべき所定のイベントであるオンイベントが発生したかどうかを判定する。
【０２２７】
ステップＳ３１において、オンイベントが発生したと判定された場合、処理は、ステップＳ３２に進み、制御部３２２は、アンプ９４を制御することにより、そのアンプ９４による変調信号の送信をオンにして、処理は、ステップＳ３３に進む。
【０２２８】
また、ステップＳ３１において、オンイベントが発生していないと判定された場合、処理は、ステップＳ３２をスキップして、ステップＳ３３に進む。
【０２２９】
ステップＳ３３では、判定部３２１は、変調信号の送信をオフにすべき所定のイベントであるオフイベントが発生したかどうかを判定する。
【０２３０】
ステップＳ３３において、オフイベントが発生したと判定された場合、処理は、ステップＳ３４に進み、制御部３２２は、アンプ９４を制御することにより、そのアンプ９４による変調信号の送信をオフにして、処理は、ステップＳ３１に戻る。
【０２３１】
また、ステップＳ３３において、オフイベントが発生していないと判定された場合、処理は、ステップＳ３４をスキップして、ステップＳ３１に戻り、以下、同様の処理が繰り返される。
【０２３２】
以上のように、通信部３１１（図１６）では、オン／オフイベントをトリガとして、変調信号の送信がオン／オフされる。したがって、通信部３１１側、ひいては、USBホスト１０側から、USBデバイス４０の電源のオン／オフや、初期化処理の実行を制御することができる。
【０２３３】
すなわち、USBホスト１０側の通信部３１１からの変調信号を受信するUSBデバイス４０側の通信部１１１（図８）（図１６）では、例えば、図１３で説明したように、変調信号の信号パワーがオン閾値THON以上である場合には、USBデバイス４０の電源がオンにされて、初期化処理が開始され、変調信号の信号パワーがオフ閾値THOFF以下である場合に、USBデバイス４０の電源がオフにされる。
【０２３４】
したがって、そのような通信部１１１に変調信号を送信するUSBホスト１０側の通信部３１１において、変調信号の送信をオン／オフすることで、ミリ波ケーブル１１０や３１０を抜き差しすることなく、USBホスト１０側から、USBデバイス４０の電源のオン／オフや、初期化処理の実行を制御することができる。
【０２３５】
なお、オフトリガとしては、例えば、USBデバイス４０側の通信部１１１（の送信部８１（図１６））から変調信号が、所定の期間以上送信されてこないこと、すなわち、USBホスト１０側の通信部３１１（の受信部７２）において、USBデバイス４０側の通信部１１１からの変調信号を、所定の期間以上受信することができないことを採用することができる。
【０２３６】
この場合、例えば、USBホスト１０とUSBデバイス４０とが接続されていないときに、USBホスト１０側の通信部３１１による変調信号の送信がオフにされ、その結果、通信部３１１から変調信号が送信され続けることによる電力消費を抑制することができる。
【０２３７】
また、USBホスト１０側の通信部３１１において、USBデバイス４０側の通信部１１１から、変調信号が、所定の期間以上送信されてこないことをオフトリガとして、通信部３１１による変調信号の送信をオフにする場合には、変調信号の送信をオフにした後、再度、変調信号の送信をオンにして、USBデバイス４０側の通信部１１１から、変調信号が、所定の期間以上送信されてこないオフトリガが発生するかどうかを確認することができる。
【０２３８】
USBホスト１０側の通信部３１１において、変調信号の送信をオフにし、その後、オンにした場合には、USBデバイス４０側の通信部１１１では、その通信部１１１で受信される変調信号の信号パワーがオフ閾値THOFF以下となって、USBデバイス４０の電源がオフにされ、その後、変調信号の信号パワーがオン閾値THON以上となって、USBデバイス４０の電源がオンにされる。
【０２３９】
すなわち、USBデバイス４０の電源がオフにされ、その後、オンにされる。
【０２４０】
その結果、USBデバイス４０では、パワーオンリセット等の初期化のシーケンスが実行される。
【０２４１】
したがって、USBデバイス４０が、何らかの原因でハングアップ状態にあり、そのために、USBデバイス４０側の通信部１１１からUSBホスト１０側の通信部３１１に、変調信号が、所定の期間以上送信されてこない場合に、USBデバイス４０に初期化のシーケンスを実行させることができ、これにより、USBデバイス４０を、ハングアップ状態から正常な状態に復帰（回復）させることができる。
【０２４２】
また、オントリガ及びオフトリガとしては、例えば、USBホスト１０に対するユーザの操作を採用することができる。
【０２４３】
オントリガ及びオフトリガとしては、ユーザの操作を採用する場合には、ユーザが、USBホスト１０を操作することにより、USBデバイス４０の電源のオンオフを制御することができる。
【０２４４】
さらに、オントリガとしては、例えば、USBホスト１０が、USBデバイス４０に送信すべきデータがあることや、USBホスト１０が、USBデバイス４０から受信すべきデータがあることを採用することができる。
【０２４５】
また、オフトリガとしては、例えば、USBホスト１０が、USBデバイス４０に送信すべきデータがなく、かつ、USBホスト１０が、USBデバイス４０から受信すべきデータもないことを採用することができる。
【０２４６】
この場合、USBホスト１０が送受信すべきデータがないときに、通信部３１１から変調信号が送信され続けることによる電力消費を抑制することができる。
【０２４７】
その他、オントリガ及びオフトリガとしては、例えば、USBホスト１０で実行されるアプリ−ケーションからの指示等を採用することができる。
【０２４８】
なお、本技術の実施の形態は、上述した実施の形態に限定されるものではなく、本技術の要旨を逸脱しない範囲において種々の変更が可能である。
【０２４９】
例えば、本実施の形態では、変調信号として、ミリ波帯の信号を採用したが、変調信号としては、ミリ波よりも低い、又は、高い周波数帯の信号を採用することができる。
【０２５０】
また、本実施の形態では、本技術を、USBケーブルが接続可能な電子機器（により構成される通信システム）に適用した場合について説明したが、本技術は、USBケーブルの他、例えば、eSATAp(external Serial Advanced Technology Attachment power)等の、バスパワーによる電源の供給が可能なバスパワーケーブルが接続可能な電子機器や、その他の任意の電子機器に適用することができる。
【０２５１】
さらに、図７では、通信部１１１を、ミリ波コネクタ６２、又は、USBコネクタ６１に内蔵させることとしたが、通信部１１１は、ミリ波ケーブル１１０の任意の位置に内蔵させることができる。通信部５３についても、同様である。
【０２５２】
また、本実施の形態では、USBデバイス４０が、電源のオンをトリガとして、初期化処理を開始することを前提としたが、外部からUSBコネクタ４１（図７）を介して、USBデバイス４０に初期化処理を開始させることができる場合には、制御装置１２０（の制御部１２２）では、変調信号のパワーに基づいて、USBデバイス４０の電源のオン及びオフを制御するのではなく、初期化処理を開始させる制御を行うことができる。
【０２５３】
この場合、図１３のフローチャートのステップＳ２３では、USBデバイス４０の電源をオンにさせる必要はなく（但し、USBデバイス４０の電源がオフになっている場合を除く）、ステップＳ２６において、USBデバイス４０の電源をオフにさせる必要もない。
【０２５４】
さらに、図７では、ミリ波ケーブル６０（のミリ波コネクタ６２）に、制御装置１２０を内蔵させることとしたが、制御装置１２０は、USBデバイス４０に内蔵させることができる。
【０２５５】
また、制御装置１２０を構成する信号パワー検出部１２１、及び、制御部１２２のうちの、信号パワー検出部１２１を、ミリ波ケーブル６０に内蔵させ、制御部１２２を、USBデバイス４０に内蔵させることができる。
【０２５６】
ここで、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２５７】
また、本明細書に記載された効果はあくまで例示であって限定されるものではなく、他の効果があってもよい。
【０２５８】
なお、本技術は、以下のような構成をとることができる。
【０２５９】
＜１＞
ベースバンドのベースバンド信号を、前記ベースバンドよりも高い所定の周波数帯域の信号に周波数変換した変調信号のパワーの検出結果に基づいて、コネクションの確立が可能な状態になるための初期化処理を開始するように、又は、電源をオン若しくはオフにするように、前記ベースバンド信号を受信する電子機器を制御する制御部を備える
制御装置。
＜２＞
前記変調信号のパワーを検出するパワー検出部をさらに備える
＜１＞に記載の制御装置。
＜３＞
前記変調信号を受信し、前記ベースバンド信号に周波数変換する受信部をさらに備え、
前記パワー検出部は、前記変調信号を周波数変換することにより得られる前記ベースバンド信号を用いて、前記変調信号のパワーを検出する
＜２＞に記載の制御装置。
＜４＞
前記パワー検出部は、前記ベースバンド信号のDC(Direct Current)オフセットを、前記変調信号のパワーとして検出する
＜３＞に記載の制御装置。
＜５＞
前記受信部は、前記ベースバンド信号である差動信号を出力し、
前記パワー検出部は、前記差動信号のDC(Direct Current)オフセットの差を、前記変調信号のパワーとして検出する
＜３＞に記載の制御装置。
＜６＞
前記電子機器は、電源がオンすることで、前記初期化処理を開始する電子機器であり、
前記制御部は、前記電子機器の電源をオンにさせることにより、前記初期化処理を開始するように、前記電子機器を制御する
＜１＞ないし＜５＞のいずれかに記載の制御装置。
＜７＞
前記制御部は、前記変調信号のパワーが、第１の閾値以上である場合に、前記電子機器の電源をオンにさせ、前記変調信号のパワーが、前記第１の閾値より小さい第２の閾値以下である場合に、前記電子機器の電源をオフにさせる
＜６＞に記載の制御装置。
＜８＞
前記変調信号は、ミリ波帯の信号である
＜１＞ないし＜７＞のいずれかに記載の制御装置。
＜９＞
前記電子機器は、バスパワーによる電源の供給が可能なケーブルが接続可能な電子機器である
＜１＞ないし＜８＞のいずれかに記載の制御装置。
＜１０＞
ベースバンドのベースバンド信号を、前記ベースバンドよりも高い所定の周波数帯域の信号に周波数変換した変調信号のパワーの検出結果に基づいて、コネクションの確立が可能な状態になるための初期化処理を開始するように、又は、電源をオン若しくはオフにするように、前記ベースバンド信号を受信する電子機器を制御する
ステップを含む制御方法。
＜１１＞
ベースバンドのベースバンド信号を、前記ベースバンドよりも高い所定の周波数帯域の信号に周波数変換した変調信号を受信し、前記ベースバンド信号に周波数変換する受信部と、
前記受信部で受信された変調信号のパワーを検出するパワー検出部と、
前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部と
を備え、
バスパワーによる電源の供給が可能なバスパワーケーブルが接続可能な電子機器に接続されるように構成されたケーブル。
＜１２＞
ベースバンドのベースバンド信号を、前記ベースバンドよりも高い所定の周波数帯域の信号に周波数変換した変調信号を受信し、前記ベースバンド信号に周波数変換する受信部と、
前記受信部で受信された変調信号のパワーを検出するパワー検出部と、
前記パワー検出部での前記変調信号のパワーの検出結果に基づいて、コネクションの確立が可能な状態になるための初期化処理を開始するように、又は、電源をオン若しくはオフにするように、前記ベースバンド信号を受信する電子機器を制御する制御部と
を備え、
バスパワーによる電源の供給が可能なバスパワーケーブルが接続可能な前記電子機器。
＜１３＞
ベースバンドのベースバンド信号を、前記ベースバンドよりも高い所定の周波数帯域の信号に周波数変換した変調信号を受信し、
前記変調信号のパワーを検出し、
前記変調信号のパワーの検出結果に基づいて、コネクションの確立が可能な状態になるための初期化処理を開始するように、又は、電源をオン若しくはオフにするように、前記ベースバンド信号を受信する電子機器を制御する
装置に、前記変調信号を送信する送信部と、
前記変調信号の送信のオン及びオフを制御する制御部と
を備える通信装置。
＜１４＞
前記制御部は、所定のイベントをトリガとして、前記変調信号の送信をオン又はオフにする
＜１３＞に記載の通信装置。
＜１５＞
前記制御部は、前記装置から信号が送信されてこないことをトリガとして、前記変調信号の送信をオフにする
＜１４＞に記載の通信装置。
＜１６＞
前記制御部は、ユーザの操作をトリガとして、前記変調信号の送信をオン又はオフにする
＜１４＞に記載の通信装置。
＜１７＞
前記制御部は、前記装置に送信すべきデータがないこと、及び、前記他の送信装置から受信すべきデータがないことをトリガとして、前記変調信号の送信をオフにする
＜１４＞に記載の通信装置。
＜１８＞
前記変調信号は、ミリ波帯の信号である
＜１３＞ないし＜１７＞のいずれかに記載の通信装置。
＜１９＞
前記電子機器は、バスパワーによる電源の供給が可能なケーブルが接続可能な電子機器である
＜１３＞ないし＜１８＞に記載の通信装置。
＜２０＞
ベースバンドのベースバンド信号を、前記ベースバンドよりも高い所定の周波数帯域の信号に周波数変換した変調信号を受信し、
前記変調信号のパワーを検出し、
前記変調信号のパワーの検出結果に基づいて、コネクションの確立が可能な状態になるための初期化処理を開始するように、又は、電源をオン若しくはオフにするように、前記ベースバンド信号を受信する電子機器を制御する
装置への、前記変調信号の送信のオン及びオフを制御する
ステップを含む制御方法。
【符号の説明】
【０２６０】
１０  USBホスト，  １１  USBコネクタ，  ２０  USBデバイス，  ２１  USBコネクタ，  ３０  USBケーブル，  ３１，３２  USBコネクタ，  ４０  USBデバイス，  ４１  USBコネクタ，  ４２  電源回路，  ５０  ミリ波ケーブル，  ５１  USBコネクタ，  ５２  ミリ波コネクタ，  ５３  通信部，  ６０  ミリ波ケーブル，  ６１  USBコネクタ，  ６２  ミリ波コネクタ，  ６３  通信部，  ７１  送信部，  ７２  受信部，  ８１  送信部，  ８２  受信部，  ９１  アンプ，  ９２  発振器，  ９３  ミキサ，  ９４，１０１  アンプ，  １０２  ミキサ，  １０３  アンプ，  １１０  ミリ波ケーブル，  １１１  通信部，  １２０  制御装置，  １２１  信号パワー検出部，  １２２  制御部，  １３１  検出部，  ２１０  USBホスト，  ２１１  USBインターフェース，  ２１２  ミリ波コネクタ，  ２２０  USBデバイス，  ２２１  USBインターフェース，  ２２２  ミリ波コネクタ，  ２３０  ミリ波伝送用ケーブル，  ２３１，２３２  ミリ波コネクタ，  ３１０  ミリ波ケーブル，  ３１１  通信部，  ３２０  制御装置，  ３２１  判定部，  ３２２  制御部
【図１】
0006462580.tif 000002
【図２】
0006462580.tif 000003
【図３】
0006462580.tif 000004
【図４】
0006462580.tif 000005
【図５】
0006462580.tif 000006
【図６】
0006462580.tif 000007
【図７】
0006462580.tif 000008
【図８】
0006462580.tif 000009
【図９】
0006462580.tif 000010
【図１０】
0006462580.tif 000011
【図１１】
0006462580.tif 000012
【図１２】
0006462580.tif 000013
【図１３】
0006462580.tif 000014
【図１４】
0006462580.tif 000015
【図１５】
0006462580.tif 000016
【図１６】
0006462580.tif 000017
【図１７】
0006462580.tif 000018
【図１８】
0006462580.tif 000019